(57)【特許請求の範囲】
【請求項１】
電線の端末部に接続された板状の端子を収容するハウジングを備えたコネクタであって、
前記ハウジングには、前記端子を収容するキャビティが前後方向に開口して設けられ、前記電線は前記キャビティから後方へ引き出されるようになっており、
前記端子には、前記キャビティの開口方向に対して交差方向に突出する突出部が設けられるとともに、前記ハウジングには、前記端子が前記キャビティに収容された状態において、前記突出部に対して後方から係合する後側係合面が設けられ、
前記後側係合面の前方には、前記突出部の前記端子の板厚方向の変位を許容するクリアランスが設けられるとともに、前記後側係合面は、前記突出部が前記板厚方向に変位した状態で係合可能な幅寸法を備え、
また、前記ハウジングには、前記端子が前記キャビティに収容された状態において、前記突出部に前方から係合する前側係合面が設けられていることを特徴とするコネクタ。
【請求項２】
前記キャビティの壁面には、前記後側係合面とは前記キャビティの周方向にずれた位置において、前記突出部を後方から挿通可能な溝部が前記後側係合面の前側まで延びて形成されていることを特徴とする請求項１に記載のコネクタ。
【請求項３】
前記端子は、相手側との接続部分を前記キャビティから前方へ突出させた姿勢で前記キャビティ内に収容されるものであり、前記ハウジングの前端部には、前記端子の接続部分を前後方向に挿通可能な挿通孔が形成され、
前記突出部は、前記端子の接続部分よりも後方位置に設けられて同接続部分の外形よりも前記交差方向に突出する寸法に設定され、
前記前側係合面は前記挿通孔の後方に形成されていることを特徴とする請求項１または請求項２に記載のコネクタ。
【請求項４】
前記ハウジングの外周面にはシールリングが装着されるとともに、前記ハウジングの前端部は同ハウジングの本体部に取り付けられて前記シールリングの前後方向の位置決めを図るホルダにより構成され、
前記挿通孔および前記前側係合面は、前記ホルダに形成されていることを特徴とする請求項３に記載のコネクタ。
【請求項５】
前記突出部は、前記端子の板面に沿う方向へ張り出す形態をなしていることを特徴とする請求項１ないし請求項４のいずれか１項に記載のコネクタ。
【請求項６】
前記突出部は、前記端子の幅方向に一対設けられていることを特徴とする請求項１ないし請求項５のいずれか１項に記載のコネクタ。
【発明の詳細な説明】
【技術分野】
【０００１】
本発明は、板状の端子を保持するコネクタに関する。
【背景技術】
【０００２】
板状の端子を保持するコネクタとして、例えば特許文献１に記載のコネクタが知られている。このコネクタのハウジングには、後方から端子を挿入可能なキャビティが形成されており、キャビティ内に収容された端子は樹脂ランスにより抜け止めされる。樹脂ランスには、端子の係合孔に係合する係合突起が設けられており、キャビティ内に収容された端子は、その係合孔の周辺部分が、樹脂ランスの本体部（樹脂ランスのうち係合突起を除く部分）とキャビティの周壁との間に挟み込まれた状態に保持される。端子の前端部（係合孔よりも前側の部分）はハウジングから前方へ突出しており、機器のシールドケース内に設けられた端子台の上面に配されてボルト締めされる。
【特許文献１】特開２００５−１２９３５５公報
【発明の開示】
【発明が解決しようとする課題】
【０００３】
ところで、端子台の上面（端子の前端部が配される面）の位置と、端子の前端部の位置とが、例えば端子台の形状誤差等によって相対的に上下にずれていることがある。このような場合、その誤差分だけ端子を撓ませるようにして位置のずれを矯正し、端子の前端部を端子台にボルト締めすることになる。
【０００４】
しかしながら、そのようにして誤差を吸収すると、上記のような構成のコネクタにおいては、端子のうち樹脂ランスの本体部とキャビティの周壁との間に挟み込まれた部分が、樹脂ランスまたは周壁に押し付けられた状態になってしまう。端子とハウジングとがそのような押圧状態に留め置かれたままで長期間にわたり使用される事態は、耐久性の面から好ましくないため、さらなる改善が望まれている。
【０００５】
本発明は上記のような事情に基づいて完成されたものであって、耐久性に優れるコネクタを提供することを目的とする。
【課題を解決するための手段】
【０００６】
本発明は、電線の端末部に接続された板状の端子を収容するハウジングを備えたコネクタであって、前記ハウジングには、前記端子を収容するキャビティが前後方向に開口して設けられ、前記電線は前記キャビティから後方へ引き出されるようになっており、前記端子には、前記キャビティの開口方向に対して交差方向に突出する突出部が設けられるとともに、前記ハウジングには、前記端子が前記キャビティに収容された状態において、前記突出部に対して後方から係合する後側係合面が設けられ、前記後側係合面の前方には、前記突出部の前記端子の板厚方向の変位を許容するクリアランスが設けられるとともに、前記後側係合面は、前記突出部が前記板厚方向に変位した状態で係合可能な幅寸法を備え、また、前記ハウジングには、前記端子が前記キャビティに収容された状態において、前記突出部に前方から係合する前側係合面が設けられているところに特徴を有する。
【０００７】
このような構成によれば、端子と相手側との接続位置に誤差があった場合には、端子がキャビティ内で変位することによりその誤差を吸収することができる。したがって、誤差に起因して端子がハウジングに押し付けられる事態を防ぐことができ、もって耐久性に優れたものとすることができる。加えて、端子の抜け止めを図る樹脂ランスが不要であるから、その分ハウジングの小型化を図ることができる。
また、キャビティ内に収容された端子は、後側係合面および前側係合面と突出部との係合により前後方向に位置決めされる。
【０００８】
前記キャビティの壁面には、前記後側係合面とは前記キャビティの周方向にずれた位置において、前記突出部を後方から挿通可能な溝部が前記後側係合面の前側まで延びて形成されているものとしてもよい。このような構成によれば、端子の突出部を後方から溝部に挿通させ、突出部が後側係合面の前方に至ったところで端子をキャビティの周方向に回転させると、突出部と後側係合面とが係合した状態になる。これにより、キャビティへの端子の挿入を、キャビティの後方から行うことができる。
【００１０】
前記端子は、相手側との接続部分を前記キャビティから前方へ突出させた姿勢で前記キャビティ内に収容されるものであり、前記ハウジングの前端部には、前記端子の接続部分を前後方向に挿通可能な挿通孔が形成され、前記突出部は、前記端子の接続部分よりも後方位置に設けられて同接続部分の外形よりも前記交差方向に突出する寸法に設定され、前記前側係合面は前記挿通孔の後方に形成されているものとしてもよい。これにより、端子の接続部分をハウジングから前方へ突出させた姿勢で、前側係合面と突出部との係合により端子の前止まりがなされる。
【００１１】
前記ハウジングの外周面にはシールリングが装着されるとともに、前記ハウジングの前端部は同ハウジングの本体部に取り付けられて前記シールリングの前後方向の位置決めを図るホルダにより構成され、前記挿通孔および前記前側係合面は、前記ホルダに形成されているものとしてもよい。これにより、シールリングの位置決めを図るホルダが、端子の前止まりをも図るものとなる。
【００１２】
前記突出部は、前記端子の板面に沿う方向へ張り出す形態をなしているものとしてもよい。これにより、プレス加工により突出部を形成できるから、例えばプレス加工の後に屈曲させて突出部を形成する場合に比べて端子の製造にかかる手間を省くことができる。
【００１３】
前記突出部は、前記端子の幅方向に一対設けられているものとしてもよい。これにより、端子の両側で位置決めがなされるから、片側で位置決めがなされるのに比べてバランスがよい。
【発明の効果】
【００１４】
本発明によれば、耐久性に優れるコネクタを提供することができる。
【発明を実施するための最良の形態】
【００１５】
＜実施形態１＞
以下、本発明の実施形態１を図１〜図８によって説明する。
本実施形態におけるコネクタＣは、図示しない機器（例えば、電気自動車のインバータ装置、モータなど）のシールドケース６０の取付孔６１に嵌合されるものであり、電線Ｗの端末部に接続された板状の端子１０を収容する合成樹脂製のハウジング２０を備えている。ハウジング２０は、その略前半部分がシールドケース６０の取付孔６１に嵌まり、略後半部分がシールドケース６０の外側に突出して配される（図８参照）。なお、各構成部材において、図１の右側を前方、左側を後方、また上側を上方、下側を下方として説明する。
【００１６】
端子１０は全体として前後方向に長い板状をなし、その前端部は、シールドケース６０内に設けられた端子台Ｔに固定される接続部１０Ａ（本発明の相手側との接続部１０Ａ分に該当する）とされている。端子１０の接続部１０Ａは、図３に示すように、端子１０の本体部１０Ｂよりも幅方向に張り出した形状をなし、その幅方向中央位置にはボルト孔１１が形成されている。端子１０は、接続部１０Ａをハウジング２０の前方へ突出させた姿勢でハウジング２０に保持され、接続部１０Ａは端子台Ｔの上面に載置されてボルト締めにより強固に固定される。
【００１７】
端子１０のうち接続部１０Ａの後側部分は、接続部１０Ａの前後方向寸法とほぼ等しい寸法を備えた本体部１０Ｂとされている。端子１０の本体部１０Ｂは、幅方向の寸法がほぼ一定とされた前後方向に長い略長方形の板状をなしている。
【００１８】
端子１０の本体部１０Ｂの両側には一対の突出部１２が設けられている。突出部１２は、本体部１０Ｂの前後方向ほぼ中央位置に設けられ、本体部１０Ｂの両側縁から側方（端子１０の板面に沿う方向）へ張り出している。一対の突出部１２は、それぞれ本体部１０Ｂの幅方向（短手方向）に長い略長方形状をなし、端子１０の軸線を挟んで対称形状をなしている。突出部１２の突出寸法は、端子１０の接続部１０Ａの本体部１０Ｂからの張り出し寸法よりも大きい（約２倍）寸法とされ、その突出端は、接続部１０Ａの両側縁よりも側方位置（本体部１０Ｂから離れる位置）に至っている。なお、端子１０の後端部には、圧着により電線Ｗが接続されている。
【００１９】
ハウジング２０は、内部に端子１０が収容されるハウジング本体部２１と、このハウジング本体部２１の前側に取り付けられてハウジング２０の前端部を構成するホルダ４１とを備えている。
【００２０】
ハウジング本体部２１は、全体として幅方向に長い扁平なブロック状をなし、３つのキャビティ２２が幅方向に一定ピッチで並列して形成されている。各キャビティ２２は、前後方向にわたって電線Ｗの外形よりも一回り大きい略円形断面（電線Ｗに嵌着されたゴム栓２３が液密状に内嵌可能な断面形状）をなしてハウジング本体部２１を前後方向に開口して設けられている。
【００２１】
各キャビティ２２は、略円筒状をなす周壁２４により個別に囲まれている。この周壁２４の後側寄りの位置には、キャビティ２２の幅（径）を全周にわたって狭める形状の隔壁２５が設けられている。
【００２２】
キャビティ２２のうち隔壁２５よりも後側の部分は、電線Ｗの絶縁被覆に液密状に外嵌されたゴム栓２３が収容されるゴム栓収容部２２Ａとされ、ゴム栓収容部２２Ａに収容されたゴム栓２３により電線Ｗとキャビティ２２との間の防水が図られる。
【００２３】
キャビティ２２のうち隔壁２５よりも前側の部分は、端子１０の本体部１０Ｂが収容される端子収容部２２Ｂとされている。周壁２４のうち端子収容部２２Ｂを囲う部分の両側には、内側に張り出す形態の張出部２６が設けられ、張出部２６によって端子収容部２２Ｂの幅寸法は、略前後にわたり狭められている（図４参照）。張出部２６間の間隔は、端子１０の本体部１０Ｂの幅寸法とほぼ等しいかそれよりも若干大きく、かつ接続部１０Ａの幅寸法よりも小さい寸法に設定されている。
【００２４】
各周壁２４には、前端縁（ハウジング本体部２１の前端縁）から後方へ向かって凹む形態（ハウジング２０の前方に開口する形態）をなす係合凹部２７が、幅方向に一対ずつ設けられている。係合凹部２７は、周壁２４のうち上側寄りの部分に設けられて両側方に開放された形態をなしている。係合凹部２７の深さ寸法は、周壁２４の前端縁から張出部２６の前端位置までの寸法とされ、キャビティ２２内に端子１０が収容されると、その突出部１２が係合凹部２７の後面のすぐ前側に配されるようになっており、この係合凹部２７の後面（奥面）が、端子１０の突出部１２に後方から係合する後側係合面２７Ａとされている。
【００２５】
係合凹部２７の上下方向の幅寸法、言い換えると、後側係合面２７Ａの上下方向の幅寸法（高さ寸法）は、突出部１２に対する係合代（すなわち端子１０の板厚寸法）と、端子１０の上下方向（板厚寸法）の変位を許容するクリアランスとを合わせた寸法に設定されている。これにより、後側係合面２７Ａは、端子１０が上下方向に変位しても、突出部１２の上下にわたって後側に重なって配される。後側係合面２７Ａは、上下方向にわたって平坦な面とされ突出部１２のスムーズな変位が可能となっている。なお、端子１０の変位を許容するクリアランスは、端子台Ｔ等の想定される誤差の範囲にあわせて適宜設定するのがよく、本実施形態では、端子１０の板厚寸法と同寸法程度のクリアランスが確保されている。
【００２６】
ハウジング本体部２１の外周面には、全周にわたって外側へ突出する形態の位置決め壁２８が形成されている。位置決め壁２８は、ハウジング本体部２１の外周面のうち前後方向中央位置に設けられ、外周面のうち位置決め壁２８の前側の部分はシールリング５０が装着される平坦なシール装着面３１とされている。そして、位置決め壁２８のうちの前側面には、シールリング５０の嵌合片５２が嵌合可能な複数の後側嵌合凹部３２が形成されている（図３参照）。この位置決め壁２８により、シールリング５０の後方への位置ずれが防止される。また、ハウジング本体部２１の外周面のうち位置決め壁２８よりも前側位置には、複数のロック凹部２９が設けられている。
【００２７】
シールリング５０はゴム製であって、シール装着面３１に嵌着される環状のシール本体５１と、シール本体５１の前後両端縁に設けられた嵌合片５２とから構成されている。シールリング５０は、シール本体５１を弾性変形（圧縮）させてシール装着面３１に密着した状態になる。
【００２８】
ハウジング本体部２１の前面には、ハウジング本体部２１とは別体の合成樹脂製のホルダ４１が取り付けられる。ホルダ４１は、ハウジング本体部２１の前面を覆う蓋部４２と、蓋部４２の周縁から後方へ突出して設けられ、ハウジング本体部２１の外周面に外嵌する外嵌部４３とを備えている。
【００２９】
ホルダ４１がハウジング本体部２１に取り付けられた状態では、外嵌部４３の突出端（後端）と位置決め壁２８との間に、シールリング５０のシール本体５１の前後方向寸法とほぼ等しい寸法の間隔が空けられる。外嵌部４３の突出端部における位置決め壁２８の後側嵌合凹部３２と対向する位置には、シールリング５０の嵌合片５２が嵌合可能な前側嵌合凹部４４が形成されている。
【００３０】
シールリング５０は位置決め壁２８とホルダ４１とによって前後方向の位置のずれを防止され、各嵌合片５２が前後嵌合凹部に嵌合してシールリング５０の周方向への周り止めがなされる。このように、ホルダ４１によってシールリング５０の位置決めを図る構成にすると、ハウジング本体部２１の外周面にシールリング５０の位置決め用の壁部を前後に一対設ける必要がない。ここで、前後に一対の壁部を設ける場合には、幅方向にスライド可能な金型を用いてハウジング本体部を成形しなければならないため、壁部の間の部分（シールの装着面）に前後方向に延びるパーティングラインが形成されてしまい、シール性に劣るおそれがある。しかしながら、本実施形態においては、前後方向にスライドする金型を用いてハウジング本体部２１を成形することができるので、シール装着面３１にパーティングラインが形成されることを防ぎ、シール性の向上を図ることができる。
【００３１】
なお、外嵌部４３には、外嵌部４３の突出方向へ向かって片持ち状に延びるロック片４６が設けられ、このロック片４６の内側面には、ハウジング本体部２１のロック凹部２９に係合するロック突部４５が設けられている。
【００３２】
ホルダ４１の蓋部４２を正面から見ると、図５に示すように、全体として幅方向に長い略長円形をなし、端子１０の接続部１０Ａを前後方向に挿通可能な挿通孔４７が３つ横並びに形成されている。各挿通孔４７は、全体として幅方向に細長い断面形状をなし、蓋部４２の上下方向中央位置よりも若干上寄りの位置に配されている。各挿通孔４７の上下方向の幅寸法は、後側係合面２７Ａの上下方向の寸法よりも大きい寸法とされている。
【００３３】
各挿通孔４７の幅方向両側縁には、その両側縁から内側（互いに接近方向側）および後側へ略直方体状をなして突出する係合突部４８が設けられている。各挿通孔４７の両端の係合突部４８の間には、端子１０の接続部１０Ａの幅寸法とほぼ等しいか若干大きい寸法の間隔が空けられている。また、各係合突部４８と挿通孔４７の上縁および下縁との間には、端子１０の板厚寸法よりも小さい隙間が空いている。係合突部４８の上下方向寸法は端子１０の板厚寸法よりも若干大きい寸法とされ、言い換えると、ハウジング本体部２１の係合凹部２７の上下方向寸法とほぼ等しい高さ寸法を備えて、係合凹部２７に前方から嵌合可能とされている。
【００３４】
ホルダ４１がハウジング２０に取り付けられると、係合突部４８が係合凹部２７に嵌合するとともに、蓋部４２が周壁２４の前縁に当接してキャビティ２２の開口を塞いだ状態になる。そして、係合突部４８の後面は、後側係合面２７Ａと対向して配され、端子１０がキャビティ２２に収容された状態において、突出部１２に前方から係合する前側係合面４８Ａとされている。後側係合面２７Ａと前側係合面４８Ａとの間には、端子１０の突出部１２の前後方向（短手方向）の幅寸法とほぼ等しいか若干大きい寸法の間隔があけられる。
【００３５】
端子１０の突出部１２は、前後係合面４８Ａ，２７Ａに挟まれた状態で、前後係合面４８Ａ，２７Ａの上下方向略中央位置（すなわち係合凹部２７の上下方向中央位置）に配され、突出部１２の上方と下方とにはほぼ等しい隙間が空いた状態になる。この上方と下方の隙間を加算したものが、端子１０が上下方向に変位可能なクリアランスである。
【００３６】
ゴム栓ホルダ３６から導出された３本の電線Ｗは、金属細線をメッシュ状に編み込んだ筒状をなすシールド部材３３によって包囲され、一括してシールドされている。シールド部材３３の端末部は、ハウジング本体部２１の位置決め壁２８の後側に外嵌されたシールド筒３４の外周面に被せられ、カシメリング３５によってかしめ付けられてシールド筒３４に固着されている。シールド筒３４は、シールドケース６０に導通可能に固定される。なお、ハウジング２０の後端部には、キャビティ２２内からのゴム栓２３の離脱を規制するゴム栓ホルダ３６が取り付けられ、電線Ｗは、ゴム栓ホルダ３６を貫通して後方へ導出されている。
【００３７】
次に、上記のように構成されたコネクタＣの組み付けについて説明する。
まず、ハウジング本体部２１の外周面に予めシールリング５０を装着しておく。そして、ハウジング本体部２１のキャビティ２２に後方から電線Ｗを挿通し、その端末部をハウジング本体部２１の前方へ引き出した状態にして端子１０を圧着する。その後、各キャビティ２２に対して前方から端子１０を挿入し、端子１０の突出部１２がそれぞれ後側係合面２７Ａのすぐ前側の位置に配されるようにする。こうして、正規の挿入位置に配された端子１０は、突出部１２と後側係合面２７Ａとの係合により後方への抜け止めが規制された状態で保持される。
【００３８】
全ての端子１０が各キャビティ２２の正規の位置に挿入されたら、ハウジング本体部２１の前面にホルダ４１を取り付ける。蓋部４２の挿通孔４７に端子１０の接続部１０Ａを挿通させつつ、ハウジング本体部２１に前方からホルダ４１を接近させ、ホルダ４１の外嵌部４３をハウジング本体部２１の外周面に外嵌させてホルダ４１を押し込む。すると、ホルダ４１が正規の位置に至ってロック片４６が弾性復帰し、ロック突部４５がハウジング本体部２１のロック凹部２９に係合してホルダ４１とハウジング本体部２１とが離脱不能にロックされる。このとき、ホルダ４１の前側嵌合凹部４４にシールリング５０の嵌合片５２が嵌合し、シールリング５０は位置決め壁２８とホルダ４１とにより前後方向の位置ずれが規制されるとともに、嵌合片５２と前後嵌合凹部との嵌合により周方向の位置ずれが規制された状態になる。そして、ホルダ４１の係合突部４８がハウジング本体部２１の係合凹部２７に嵌合し、端子１０の突出部１２のすぐ前側に前側係合面４８Ａが配され、これにより端子１０の前止まりが図られる。こうして、キャビティ２２に収容された端子１０は、一対の突出部１２がそれぞれ後側係合面２７Ａと前側係合面４８Ａとに係合して、前後方向の位置決めがなされる。
【００３９】
次に、上記のように構成された本実施形態の作用および効果について説明する。
上記のように組み付けられたコネクタＣをシールドケース６０に取り付け、ハウジング２０から前方へ突出している端子１０の接続部１０Ａを、端子台Ｔにボルト締めする。このとき、端子台Ｔの上面の高さ位置と端子１０の接続部１０Ａの下面の高さ位置とが一致しない、すなわち端子台Ｔの上面が端子１０の接続部１０Ａの下面から下方に離間していたり、または端子台Ｔの上面が端子１０の接続部１０Ａの下面よりも上方に位置していたりする場合がある。ここで、従来のように、キャビティ内に収容された端子が樹脂ランスによって抜け止めされ、端子のうち樹脂ランスとの係合部分がキャビティの周壁と樹脂ランスとの間に挟みこまれる構造のものであると、誤差を吸収するためには、端子をキャビティまたは樹脂ランスに押し付けるようにして撓ませなければならない。そのようにして端子を撓ませて端子台Ｔに固定すると、端子がキャビティの周壁または樹脂ランスに押し付けられた際に、その力によってそれらが破損してしまったり、またそれらが押圧状態のままで留め置かれて破損等に至るおそれがある。
【００４０】
しかしながら、本実施形態においては、端子１０が上下方向に変位することによってその誤差を吸収することができるから、上記のような端子、周壁もしくは樹脂ランスの破損を防ぐことができ、もって耐久性に優れたコネクタＣとすることができる。なお、端子１０の接続位置（接続部１０Ａおよび端子台Ｔの位置）の誤差が突出部１２の上下に設けられたクリアランスの範囲内であれば、その誤差を端子１０の変位のみで吸収することができ、端子１０とハウジング２０とが押圧状態になることを確実に防ぐことができる。そして、端子１０の接続位置の誤差がそのクリアランスより大きかった場合においても、端子１０が変位することにより誤差の大部分は吸収されるので、端子の変位によって誤差の吸収がなされない場合に比べて端子１０とハウジング２０とに生じる押圧力の程度は格段に低くなり、もって破損等に至る事態を回避することができる。
【００４１】
また、後側係合面２７Ａは、突出部１２が上方または下方に変位しても常に係合しているから、端子１０の後方（電線Ｗの引き出し方向）への抜け止めは確実になされる。
加えて、樹脂ランスを設けることなく、このような端子１０の抜け止めを図っているから、従来と比較して樹脂ランスの分だけハウジング２０を小型化することができる。
【００４２】
また、端子１０の突出部１２は、端子１０の板面に沿う方向へ張り出す形態をなしているから、両突出部１２はプレス加工により形成できる。したがって、例えばプレス加工の後に屈曲させて突出部を形成する場合に比べ、端子１０の製造にかかる手間を省くことができる。なお、端子１０には、樹脂ランスとの係合孔を設けなくても済むから、その分端子１０を小さくすることができる。
【００４３】
＜実施形態２＞
次に、本発明の実施形態２に係るコネクタＣを図９によって説明する。
本実施形態のコネクタＣは、キャビティ２２の周壁２４に、端子１０の突出部１２を後方から挿通可能な溝部７０を設けた点で、実施形態１とは相違する。なお、実施形態１と同様の構成には同一符号を付して重複する説明を省略する。
【００４４】
本実施形態に係るコネクタＣのハウジング本体部２１には、実施形態１と同様に、キャビティ２２の周壁２４に係合凹部２７が設けられてその後面が後側係合面２７Ａとされ、ホルダ４１には前側係合面４８Ａが設けられている。
【００４５】
そして、キャビティ２２の周壁２４には、溝部７０が設けられている。溝部７０は、周壁２４のうち係合凹部２７とはキャビティ２２の周方向にずれた位置、言い換えると、周壁２４の上下（周壁２４のうち一対の係合凹部２７の間に残された上壁２４Ｂおよび下壁２４Ｌ）にそれぞれ形成されている。一対の溝部７０は、それぞれ端子１０の板厚寸法とほぼ等しい幅寸法を備えて、互いに対向方向（上下方向）に開放されるとともに、前後方向に開放された形状をなしている。各周壁２４に形成された両溝部７０は上下方向に直線状に配され、突出部１２を後方から各溝部７０に挿通させつつ、端子１０を挿入することが可能となっている。
【００４６】
次に、実施形態２のコネクタＣの組み付けについて説明する。
まず、実施形態１と同様、ハウジング本体部２１の外周面に予めシールリング５０を装着するとともに各電線Ｗの端末部に端子１０を圧着しておく。次いで、端子１０を、その板面が上下方向を向く縦向きの姿勢にして突出部１２を溝部７０に位置あわせした後、突出部１２を溝部７０にそれぞれ挿通させつつ、後方から端子１０をキャビティ２２内に挿入する。そして、端子１０の突出部１２が溝部７０を前方へ通過したところで端子１０を回転させ、その板面が水平方向を向く横向きの姿勢にする。端子１０が横向きの姿勢になると、一対の突出部１２はそれぞれ一対の後側係合面２７Ａの前方（係合凹部２７の前方）に配された状態になる。この状態から端子１０を後方に移動させると、突出部１２が係合凹部２７内を後方へ移動し、後側係合面２７Ａのすぐ前側位置に配される。そして、突出部１２と後側係合面２７Ａとが前後方向に係合した状態になり、端子１０は正規の挿入位置において後方への抜け止めが規制された状態で保持される。
【００４７】
全ての端子１０を正規の位置に挿入したら、実施形態１と同様に、ハウジング本体部２１の前側にホルダ４１を取り付ける。すると、ホルダ４１の前側係合面４８Ａが端子１０の突出部１２のすぐ前側に配されて端子１０の前止まりが図られる。
【００４８】
このように、本実施形態においては、キャビティ２２の周壁２４に、突出部１２を挿通可能な溝部７０を設けたことにより、キャビティ２２への端子１０の挿入を後方（電線Ｗが引き出される方向）から行うことができる。したがって、端子１０を電線Ｗの端末部に圧着した状態で挿入することができるから、端子１０の挿入作業を行いやすい。
そして、実施形態２においても、実施形態１と同様、端子１０の変位により誤差を吸収することができるから、耐久性に優れたコネクタＣとなる。
【００４９】
＜他の実施形態＞
本発明は上記記述及び図面によって説明した実施形態に限定されるものではなく、例えば次のような実施形態も本発明の技術的範囲に含まれる。
【００５０】
（１）上記実施形態によれば、本発明を、ハウジング本体部２１と、ハウジング本体部２１とは別体のホルダ４１とにより構成されたハウジング２０を備えたコネクタに適用したが、これに限らず、本発明は、前端部も含めた全体が一体に形成されてなるハウジングを備えたコネクタにも適用可能である。なお、このような場合には、ハウジングの前方または後方から後側係合面の前側位置まで突出部を挿通可能な挿通部を備えたものとなる。
【００５１】
（２）上記実施形態によれば、各周壁２４に形成された係合凹部２７の奥面が後側係合面２７Ａとされているが、これに限らず、例えばこのような係合凹部を設けることなく周壁の前端面に後側係合面を形成し、後側係合面の前方にクリアランスを設けた状態でホルダを組み付けるようにしてもよい。
【００５２】
（３）上記実施形態によれば、後側係合面２７Ａの上下方向寸法は、突出部１２に対する係合代と、端子１０の上下方向の変位を許容するクリアランスとを合わせた寸法に設定されているが、これに限らず、突出部が変位しても係合可能な寸法であれば、この寸法より小さくても構わない。すなわち、端子が変位したときに突出部が上下にわたって後側係合面の後側に重ならずとも、部分的に重なって配されることにより後方への位置ずれが防止されるのであればよい。
【００５３】
（４）上記実施形態によれば、突出部１２は、端子１０の板面に沿う方向へ張り出す形態をなしているが、これに限らず、突出部は、例えば端子の板面に対して略垂直方向に屈曲されて形成されたものであってもよい。そして、上記実施形態においては後側係合面２７Ａは周壁２４の幅方向に一対ずる設けられているが、これに限らず、後側係合面は、突出部の突出方向にあわせて、例えば周壁の上下方向に一対ずつ設けるようにしてもよい。
【００５４】
（５）上記実施形態によれば、突出部１２は、端子１０の幅方向に一対設けられているが、これに限らず、例えば片側のみに設けられていてもよく、また幅方向に加えて上下方向にも一対設けられていてもよい。
【図面の簡単な説明】
【００５５】
【図１】実施形態１にかかるコネクタの側断面図
【図２】同分解側断面図
【図３】同平面図
【図４】ハウジングの正面図
【図５】ホルダの正面図
【図６】コネクタの平面図
【図７】同正面図
【図８】端子の変位により誤差が吸収された状態を表すコネクタの側断面図
【図９】実施形態２にかかるハウジングの正面図
【符号の説明】
【００５６】
Ｃ…コネクタ
Ｗ…電線
１０…端子
１０Ａ…接続部（相手側との接続部分）
１２…突出部
２０…ハウジング
２１…ハウジングの本体部
２２…キャビティ
２７Ａ…後側係合面
４１…ホルダ
４７…挿通孔
４８Ａ…前側係合面
５０…シールリング
７０…溝部
【図１】
0004992659.tif 000002
【図２】
0004992659.tif 000003
【図３】
0004992659.tif 000004
【図４】
0004992659.tif 000005
【図５】
0004992659.tif 000006
【図６】
0004992659.tif 000007
【図７】
0004992659.tif 000008
【図８】
0004992659.tif 000009
【図９】
0004992659.tif 000010